(57)【要約】【課題】  ろ過膜のろ過水排出口と、集水管のろ過器接続口とを容易に接続でき、組立が容易な浸漬型膜ろ過装置を提供する。【解決手段】  処理槽内の被処理水のろ過処理用に処理槽内に浸漬設置されるための、フィルタを備えたろ過器が複数配列された浸漬型膜ろ過装置であって、ろ過器には、処理槽内の被処理水をフィルタでろ過して得られたろ過水を、ろ過器の外部に排出するためのろ過水排出口が備えられ、浸漬型膜ろ過装置には、ろ過器接続口を有した集水管が備えられ、ろ過器接続口は、ろ過水排出口の軸線の略延長線上にろ過水排出口と対向するように備えられ、かつ、ろ過水排出口とろ過器接続口との間には流路が形成されていることを特徴とする。【選択図】  図３
2007083229.tif 000002
【特許請求の範囲】
【請求項１】
処理槽内の被処理水のろ過処理用に処理槽内に浸漬設置されるための、フィルタを備えたろ過器が複数配列された浸漬型膜ろ過装置であって、ろ過器には、処理槽内の被処理水をフィルタでろ過して得られたろ過水を、ろ過器の外部に排出するためのろ過水排出口が備えられ、浸漬型膜ろ過装置には、ろ過器接続口を有した集水管が備えられ、ろ過器接続口は、ろ過水排出口の軸線の略延長線上にろ過水排出口と対向するように備えられ、かつ、ろ過水排出口とろ過器接続口との間には流路が形成されていることを特徴とする浸漬型膜ろ過装置。
【請求項２】
ろ過水排出口とろ過器接続口との間の流路が、弾性チューブによって形成される略直線状の流路であることを特徴とする、請求項１に記載の浸漬型膜ろ過装置。
【請求項３】
ろ過器接続口、および、ろ過水排出口のうちのいずれか若しくは両方が、ワンタッチ継ぎ手により構成されていることを特徴とする、請求項１または２に記載の浸漬型膜ろ過装置。
【請求項４】
集水管がろ過器の鉛直上方に備えられていることを特徴とする、請求項１〜３のいずれかに記載の浸漬型膜ろ過装置。
【請求項５】
複数のろ過器、ならびに複数のろ過器接続口が備えられており、前記複数のろ過器に備えられた各ろ過水排出口が規則的に配置されているとともに、前記複数のろ過器接続口が前記各ろ過水排出口と係合するように配置されていることを特徴とする、請求項１〜４のいずれかに記載の浸漬型膜ろ過装置。
【請求項６】
前記複数のろ過器接続口が、略等間隔に略直線上に配置されていることを特徴とする、請求項５に記載の浸漬型膜ろ過装置。
【発明の詳細な説明】
【技術分野】
【０００１】
本発明は、処理槽内に貯留された、廃水や汚水などの被処理水をフィルタ（以下、適宜「ろ過膜」と称する。）で処理し、処理水（以下、適宜「ろ過水」と称する。）を得るために用いられる浸漬型膜ろ過装置に関し、特に、当該浸漬型膜ろ過装置を構成するろ過器と集水管とを容易に接続することが可能な浸漬型膜ろ過装置に関する。
【背景技術】
【０００２】
従来から、廃水や汚水の浄化技術として、略平面状の支持板の両面にろ過膜を取り付けたろ過器を並列して、それぞれのろ過器からの処理水を、ろ過水排出口から集水管に集め、処理水を回収する浸漬型膜ろ過装置が広く用いられてきた（例えば、特許文献１、特許文献２参照）。なお、略平面状の支持板の両面にろ過膜を取り付けるのは、主にろ過器下方に設けてある曝気装置による曝気によってろ過膜表面を洗浄しながらろ過することができるからである。
【０００３】
それぞれのろ過器と集水管との接続に際し、ろ過器に設けられたろ過水排出口と、集水管に設けられたろ過器接続口とを、フレキシブルなチューブによって接続されてきた（特許文献１参照）。フレキシブルなチューブを用いる利点は、ろ過水排出口とろ過器接続口との位置関係がどのような位置にあっても接続できる点にある。そして、かかるフレキシブルチューブを用いる場合、フレキシブルチューブに作用する圧力によってつぶれが生じないこと、フレキシブルチューブとろ過水排出口およびろ過器接続口との接続部分から水漏れがおきないことが、重要である。  
【０００４】
そのため、従来の浸漬型膜ろ過装置に用いられてきたフレキシブルチューブは、圧力がかかってもつぶれない程度の強度・硬度を有し、かつ、ろ過水排出口およびろ過器接続口から水漏れが発生しないように密に嵌合できる程度の弾力性が要求され、フレキシブルチューブの材質や形状の設計が極めて困難であった。
【０００５】
このことから、従来の浸漬型膜ろ過装置では、フレキシブルチューブとして、水漏れが生じない程度に密に嵌合できる弾力性を持ち、かつ強度・硬度のあるもの（例えば、硬度７０、ポリウレタン製、肉厚が内径の２５％程度の厚肉）が使用されているため、フレキシブルチューブをろ過水排出口、ろ過器接続口に取り付ける際には、非常に過大な力を必要とし、組立が困難であった。
【０００６】
さらに、浸漬型膜ろ過装置は、長期間処理水に浸漬して使用することから、フレキシブルチューブには、主に耐食性、耐候性といった耐久性が必要である。しかし、耐久性に優れている弾性チューブであるシリコン製のチューブなどは柔軟性が高く水圧により変形して潰れ易いので使用できず、やむを得ずポリウレタン製チューブなどを用いており、定期的なフレキシブルチューブの交換が必要であった。
【０００７】
また、集水管自体を筒状弾性体とし、ろ過水排出口と集水管とを直接弾性嵌合させる構造が提案されているが（特許文献２参照）、この場合においても集水管には、圧力でつぶれない強度・硬度と、かつ、嵌合部からの水漏れが発生しない程度の弾力性が要求され、筒状弾性体の集水管の設計が困難であると同時に、筒状弾性体の集水管とろ過水排出口との接続には非常に過大な力を必要とし、組立が困難である。また、集水管とろ過水排出口とを直接嵌合した場合、ろ過器と集水管との間に透明もしくは半透明の部材を設置することができない。このため、複数のろ過器を配列して使用した場合に、どれかのろ過器に異常が発生しろ過水に異常がみられた場合、どのろ過器に不具合が発生しているかを判別することができない。その結果、集水管から得られる処理水に異常が確認された場合、すべてのろ過器を確認することになるため、メンテナンス性に劣り、実際での運用は困難であった。
【０００８】
【特許文献１】特開平３−２２１１９８号公報（第２図）
【特許文献２】特開平９−２５３４６１号公報（［００１０］、［００２３］段落）
【発明の開示】
【発明が解決しようとする課題】
【０００９】
しかしながら、強度、硬度が十分な材料を用いて、フレキシブルチューブの肉厚を薄くすることで柔軟性をもたせることも可能ではあるが、フレキシブルチューブが破れやすくなるという問題が顕在化するし、一方、フレキシブルチューブをやぶれにくくするため、フレキシブルチューブにある程度の肉厚を持たせた場合には、柔軟性を得られないこととなる。つまり、かかるフレキシブルチューブを用いてろ過器と集水管とを接続する方法には、限界があった。
【００１０】
すなわち、本発明の目的は、ろ過水排出口とろ過器接続口とを、フレキシブルチューブを用いなくても容易かつ適切に接続でき、組立が容易な浸漬型膜ろ過装置を提供することにある。
【課題を解決するための手段】
【００１１】
かかる課題を解決するための本発明は、以下の構成からなる。
（１）処理槽内の被処理水のろ過処理用に処理槽内に浸漬設置されるための、フィルタを備えたろ過器が複数配列された浸漬型膜ろ過装置であって、ろ過器には、処理槽内の被処理水をフィルタでろ過して得られたろ過水を、ろ過器の外部に排出するためのろ過水排出口が備えられ、浸漬型膜ろ過装置には、ろ過器接続口を有した集水管が備えられ、ろ過器接続口は、ろ過水排出口の軸線の略延長線上にろ過水排出口と対向するように備えられ、かつ、ろ過水排出口とろ過器接続口との間には流路が形成されていることを特徴とする浸漬型膜ろ過装置。
【００１２】
（２）ろ過水排出口とろ過器接続口との間の流路が、弾性チューブによって形成される略直線状の流路であることを特徴とする、上記（１）に記載の浸漬型膜ろ過装置。
（３）ろ過器接続口、および、ろ過水排出口のうちのいずれか若しくは両方が、ワンタッチ継ぎ手により構成されていることを特徴とする、上記（１）または（２）に記載の浸漬型膜ろ過装置。
（４）集水管がろ過器の鉛直上方に備えられていることを特徴とする、上記（１）〜（３）のいずれかに記載の浸漬型膜ろ過装置。
（５）複数のろ過器、ならびに複数のろ過器接続口が備えられており、前記複数のろ過器に備えられた各ろ過水排出口が規則的に配置されているとともに、前記複数のろ過器接続口が前記各ろ過水排出口と係合するように配置されていることを特徴とする、上記（１）〜（４）のいずれかに記載の浸漬型膜ろ過装置。
（６）前記複数のろ過器接続口が、略等間隔に略直線上に配置されていることを特徴とする、上記（５）に記載の浸漬型膜ろ過装置。
【発明の効果】
【００１３】
本発明によれば、集水管のろ過器接続口が、ろ過器のろ過水排出口の軸線の略延長線上に該ろ過水排出口と対向するように備えられているので、ろ過水排出口とろ過器接続口との間に形成された流路に過度な外圧をかけることなく、組立性に優れた浸漬型膜ろ過装置とすることができる。
【００１４】
特に、本発明では、ろ過水排出口とろ過器接続口との間に形成された流路に弾性チューブを用いることできるため、ろ過水排出口とろ過器接続口との接続が極めて容易になる。
さらに、ろ過水排出口またはろ過器接続口のいずれか少なくとも一方をワンタッチ継ぎ手で構成することにより、過大な力を必要とせずにろ過水排出口とろ過器接続口を接続することが可能となる。
かかる構成を、複数のろ過器を備え、集水管に複数のろ過器接続口を備えた浸漬型膜ろ過装置に適用した場合に、ろ過水排出口とろ過器接続口との接続を著しく簡略化できる。
【発明を実施するための最良の形態】
【００１５】
以下、本発明の実施形態を例示する図面を参照しながら説明する。
図１は、本発明の好ましい実施の態様を示す浸漬型ろ過膜装置の概略正面図、図２は、図１の概略側面図、図３は、図１の拡大図である。図４は、本発明の他の好ましい実施の態様を示す浸漬型膜ろ過装置の概略正面図、図５は、図４の概略側面図、図６は、図４の拡大図である。
【００１６】
本発明は、処理槽内の被処理水のろ過処理用に処理槽内に浸漬設置されるための、フィルタを備えたろ過器が複数配列された浸漬型膜ろ過装置であって、ろ過器には、処理槽内の被処理水をフィルタでろ過して得られたろ過水を、ろ過器の外部に排出するろ過水排出口が備えられている。
【００１７】
処理槽とは、被処理水を貯え、ろ過器（２）を被処理水に浸漬することができれば特に制限されるものではなく、コンクリート槽、繊維強化プラスチック槽などが好ましく用いられる。また、処理槽の内部が複数に分割されていてもかまわないし、複数に分割されている槽のうち一部を、ろ過器（２）を浸漬する槽として、他方を脱窒槽として利用し、被処理水を互いの分割されている槽間で循環されるようにしていてもよい。
【００１８】
ここで、ろ過器（２）は、取り扱い性や物理的耐久性を向上させるために、例えば、フレームの両面にろ過水流路材を挟んで、両面に２枚のフィルタを接着した、ないし１枚のフィルタを袋状にして接着した、平膜エレメント構造をしていることが望ましい。平膜エレメント構造は、膜面に平行な流速を与えた場合の剪断力による汚れの除去効果が高いことが、その理由の一つとして挙げられる。
【００１９】
ろ過器（２）に備えられたフィルタとしては、多孔質膜や、多孔質膜に機能層を複合化した複合膜などが挙げられるが、特に限定されるものではない。これらの膜の具体例としては、ポリアクリロニトリル多孔質膜、ポリイミド多孔質膜、ポリエーテルスルホン多孔質膜、ポリフェニレンスルフィドスルホン多孔質膜、ポリテトラフルオロエチレン多孔質膜、ポリフッ化ビニリデン多孔質膜、ポリプロピレン多孔質膜、ポリエチレン多孔質膜等の多孔質膜などが挙げられるが、ポリフッ化ビニリデン多孔質膜やポリテトラフルオロエチレン多孔質膜は耐薬品性が高いため、特に好ましい。
【００２０】
本発明の浸漬型膜ろ過装置は、処理槽内の被処理水をフィルタでろ過して得られたろ過水を、ろ過器の外部に排出するためのろ過水排出口（２１，８）が備えられている。すなわち、ろ過器（２）では、フィルタの外側から内側にろ過を行い、ろ過室を介してろ過水排出口（２１，８）からろ過水が取り出される構造である。
【００２１】
また、本発明の浸漬型膜ろ過装置は、ろ過器接続口（３１，９）を有した集水管（３）を備え、当該集水管（３）のろ過器接続口は、ろ過水排出口（２１，８）の軸線の略延長線上にろ過水排出口と対向するように備えられている。すなわち、ろ過水排出口（２１，８）から取り出されたろ過水を、ろ過器接続口（３１，９）を介して、集水管（３）に集める構造としており、ろ過水排出口（２１，８）とろ過器接続口（３１，９）との間には、略直線状の流路が形成されている。ろ過水排出口（２１，８）の軸線の略延長線上に、それと対向するようにろ過器接続口（３１，９）を配置することにより、ろ過水排出口（２１，８）とろ過器接続口（３１，９）との間に形成された流路に、過度な外圧をかけることなく、組立性に優れた浸漬型膜ろ過装置とすることができる。
【００２２】
なお、ろ過水排出口（２１，８）とろ過器接続口（３１，９）とをチューブ（１０）で接続することにより流路を形成しても良く、ろ過水排出口（２１，８）とろ過器接続口（３１，９）とを直接接続して流路としても良い。流路をつぶれにくい構造とするためには、ろ過水排出口（２１，８）とろ過器接続口（３１，９）との距離を、０〜２０ｍｍとすることが好ましく、より好ましくは０〜１０ｍｍである。
【００２３】
ここで、略線の略延長線上とは、ろ過水排出口とろ過器接続口とをチューブで接続する場合でも、そのチューブに座屈や折れなどの問題が生じない範囲であることを意味する。そして、本発明においては、集水管（３）がろ過器（２）の鉛直上方に備えられていることが、集水管（３）をフレーム（５）の上に置いた状態で組立ができるので、より組立性が向上するという観点で好ましく、特に、通常の浸漬型ろ過膜装置のような大型（ろ過器（２）の全長が１ｍ〜２ｍ程度のものや、ろ過器（２）が２０〜１００個程度のもの）の装置よりも、小型（ろ過器（２）の全長が１ｍ未満、０．５ｍｍ程度のものや、ろ過器（２）が５〜２０個程度のもの）の浸漬型膜ろ過装置は、ろ過器（２）の鉛直上方に集水管を設置しても散気管（４）からの曝気によって起こる旋回流の影響が少ないため、より好ましい。
【００２４】
本発明の浸漬型膜ろ過装置は、ろ過水排出口（２１，８）とろ過器接続口（３１，９）とが、軸線の略延長線上に対向して設けられており、ろ過水排出口（２１，８）とろ過器接続口（３１，９）との間に設けられた流路に過度な外圧がかかりにくい構造となっているため、当該流路がつぶれにくく、ろ過水排出口（２１，８）およびろ過器接続口（３１，９）との接続部分から水漏れが起こりにくい。従って、当該流路を、ろ過水排出口（２１，８）とろ過器接続口（３１，９）との接続が容易となり、弾性チューブ（６）によって形成することが可能となる。また、可撓性の小さいチューブで接続して流路を形成することも可能となる。
【００２５】
ここで、本発明において弾性チューブ（６）とは、シリコン、ゴムなどの柔軟な素材で構成されたチューブや、薄肉で、手で容易に変形させることができるチューブを意味する。      
【００２６】
なお、従来、浸漬型膜ろ過装置に用いられていたフレキシブルチューブは、ろ過水排出口とろ過器接続口との位置関係、それぞれの取り付け方向によらず接続できるチューブであって、かつ、水圧により潰れ難い強度と硬度とをもつチューブであり、例えば、金属製の蛇腹状ホース、ポリウレタンチューブ、塩化ビニルチューブなどが例示される。
【００２７】
本発明の浸漬型膜ろ過装置では、上記例示されたフレキシブルチューブを用いることなく、前記弾性チューブ（６）を用いることができる点に特徴を有し、これにより、ろ過水排出口（２１，８）とろ過器接続口（３１，９）とを容易に接続でき、浸漬型膜ろ過装置の組立性が著しく向上する。
【００２８】
かかる弾性チューブ（６）を用いる場合、弾性チューブ（６）が、ろ過水排出口（２１，８）ないしろ過器接続口（３１，９）から抜けないように、最短のチューブの差込長さ（＝ろ過水排出口のチューブ差込長さ、もしくはろ過器接続口へのチューブ差込長さのうち短い方）より、ろ過水排出口（２１，８）とろ過器接続口（３１，９）との距離の方が短いことが好ましい。
【００２９】
また、ろ過水排出口（２１，８）とろ過器接続口（３１，９）との間を透明（半透明も含む）の弾性チューブ（６）や、透明樹脂や透明ガラスからなる透明管材でもって接続することによって流路を形成することもでき、この場合には、流路内を通過する処理水を外部から視認・観察することができ、処理水に異常が発生した場合に、どのろ過器に異常が発生したかを、当該流路を観察することにより判別することができる。
【００３０】
チューブ内を通過する処理水を外から視認・観察することが可能な透明弾性チューブは、内径側および外径側の表面、特に処理水と接触する内径側の表面に汚れが付着し難いことが好ましいので、汚れが付着し難い形状や材質とすることが好ましく、例えば、平滑な表面や、テフロン（登録商標）製チューブ、フッ素コーティング、テフロン（登録商標）コーティング、光触媒コーティングした材料などが有効である。
【００３１】
また、該チューブの一部分が透明もしくは半透明のような複合素材で構成されているのでもよく、例えば、不透明なエチレンプロピレンゴム製のチューブの一部に光触媒コーティングを施したガラスを一体成形したものであってもよい。
【００３２】
このような表面処理を施したり、一部の材質が異なる弾性チューブは、一般的に屈曲させると表面処理の部分や材質の境界部分に負荷が発生し、長期の使用は困難であるが、ろ過水排出口とろ過器接続口とが軸線の略延長線上で、対向した位置に設けているので、それらを接続する弾性チューブが直線的な状態で配設されるため弾性チューブに屈曲による負荷が発生せず、本発明に係る浸漬型ろ過膜装置においては好適に使用することが可能である。
【００３３】
また、本発明の浸漬型膜ろ過装置は、ろ過水排出口（２１，８）またはろ過器接続口（３１，９）のいずれか一方若しくは両方を、ワンタッチ継ぎ手で構成することが好ましい。かかる構成とすることにより、過大な力を必要とせずにろ過水排出口（２１，８）とろ過器接続口（３１，９）との間をチューブを介して若しくは直接に接続することが可能となるからである。ここで、ワンタッチ継ぎ手とは、過大な力を必要とせず、チューブを差し込むだけで接続が可能な継ぎ手を意味する。
【００３４】
本発明を、複数のろ過器（２ａ〜ｊ）を備え、かつ、複数のろ過器接続口（３１ａ〜ｊ，９ａ〜ｊ）をもつ集水管（３）を備えた浸漬型膜ろ過装置に適用した場合、複数のろ過器（２ａ〜ｊ）に備えられた各ろ過水排出口（２１ａ〜ｊ，８ａ〜ｊ）が規則的に配置されているとともに、複数のろ過器接続口（３１ａ〜ｊ，９ａ〜ｊ）が各ろ過水排出口（２１ａ〜ｊ，８ａ〜ｊ）と係合するように配置、すなわち、例えばろ過水排出口（２１ａ〜ｊ、８ａ〜ｊ）が直線上に一定間隔のピッチで配列しており、ろ過器接続口（３１ａ〜ｊ，９ａ〜ｊ）も、ろ過水排出口（２１ａ〜ｊ，８ａ〜ｊ）と同様に直線上に同じピッチで配列している状態などのように、実質的に、ろ過水排出口（２１ａ〜ｊ，８ａ〜ｊ）とろ過器接続口（３１ａ〜ｊ，９ａ〜ｊ）との位置関係が対称であるように配置されていれば、ろ過水排出口（２１ａ〜ｊ，８ａ〜ｊ）とろ過器接続口（３１ａ〜ｊ，９ａ〜ｊ）との接続を著しく簡略化でき、好ましい。
【００３５】
特に、ろ過水排出口（２１ａ〜ｊ，８ａ〜ｊ）およびろ過器接続口（３１ａ〜ｊ，９ａ〜ｊ）の全てを、ワンタッチ継ぎ手で構成したり、複数のろ過器接続口（３１ａ〜ｊ，９ａ〜ｊ）を、集水管（３）上に、略等間隔に略直線上に配置したりすることで、各ろ過水排出口（２１ａ〜ｊ，８ａ〜ｊ）と各ろ過器接続口（３１ａ〜ｊ，９ａ〜ｊ）を一回的に接続することが可能となり、接続が極めて効率的となるのである。
【実施例】
【００３６】
以下、実施例を用いて、本発明をさらに詳細に説明する。なお、本発明が、以下の実施例に限定されるものではない。
【００３７】
（実施例１）
以上の弾性部材を用いて、浸漬型ろ過膜装置を製造した結果を説明する。
本発明の浸漬型膜ろ過装置１は、図１に示すように、ろ過器２（２ａ〜ｊまで１０個）と集水管３と、曝気するための散気管４とこれらを支えるフレーム５とから構成されている。集水管３にはろ過器接続口３１ａ〜ｊが備えられており、ろ過器２ａ〜ｊにはそれぞれろ過水排出口２１ａ〜ｊが備えられている。
【００３８】
ろ過器接続口３１ａ〜ｊとろ過水排出口２１ａ〜ｊとは、弾性チューブ６ａ〜ｊによって接続されている。本実施例１においては、ろ過水排出口２１ａ〜ｊおよびろ過器接続口３１ａ〜ｊは、一直線上に配置してあり、かつ、ろ過水排出口２１ａ〜ｊのそれぞれの軸方向に対向するようにろ過器接続口３１ａ〜ｊが備えられている。
【００３９】
ろ過水排出口２１ａ〜ｊとろ過器接続口３１ａ〜ｊとの距離は約７ｍｍであるが、０ｍｍでもよく、７ｍｍよりも距離が長くなっても、弾性チューブ６ａ〜ｊがつぶれない範囲であれば問題ない。また、弾性チューブ６ａ〜ｊが抜けないように、最短のチューブの差込長さを１２ｍｍ（ろ過水排出口のチューブ差込長さ＝１２ｍｍ、ろ過器接続口へのチューブ差込長さ＝２３ｍｍ）とした。ここでは、弾性チューブ６ａ〜ｊのつぶれの観点、フレーム５等の組立精度の観点、チューブが抜けない観点から両者の距離を７ｍｍとした。ろ過水排出口２１ａ〜ｊの形状は、ホースニップルと同様の形状をしており、またろ過器接続口３１ａ〜ｊには、市販のホースニップルを用いた。
【００４０】
また、弾性チューブ６ａ〜ｊは、非常に柔軟な材料であるシリコンゴム製の半透明のチューブを用いた。このように半透明シリコンゴム製チューブを用いたので、チューブ内を通過する処理水を外から視認することができた。
【００４１】
従来の浸漬型膜ろ過装置の構造において、シリコンゴム製の柔らかいチューブを用いると、吸引圧力、水圧などのチューブに作用する圧力にチューブが耐えきれず、チューブがつぶれ、ろ過器２と集水管３との流路を確保できなくなってしまうが、本発明の浸漬型膜ろ過装置は、ろ過水排出口２１ａ〜ｊの略軸方向に対向してろ過器接続口３１ａ〜ｊを設けたので、ろ過水排出口２１ａ〜ｊとろ過器接続口３１ａ〜ｊとの距離を極限まで縮めることができ、チューブつぶれを防止することができる。
【００４２】
チューブのつぶれは、チューブの長さが短いほどつぶれにくくなるため、圧力によってつぶれやすい柔軟な材料をチューブに用いても、本発明の浸漬型膜ろ過装置１においては弾性チューブ６がつぶれることがない。また、柔軟な素材の弾性チューブ６ａ〜ｊを用いたので、ろ過水排出口２１ａ〜ｊおよびろ過器接続口３１ａ〜ｊへのチューブの取り付けが非常に容易であり、過大な力を必要としない。
【００４３】
また、集水管３の取り付け作業の観点、本実施例１のろ過器２の大きさが０．５ｍ×０．５ｍの小型であり、かつ、ろ過器２の個数が１０個と少ない小型の浸漬型膜ろ過装置であることから、集水管３はろ過器２の上方に設置した。なお、小型の浸漬型膜ろ過装置でなくとも、装置の性能に問題が生じなければ、集水管３の取り付け作業の観点から、集水管３をろ過器２の上方に設置することも好ましい。
【００４４】
以上説明したように、本発明の浸漬型膜ろ過装置は、ろ過水排出口とろ過器接続口とを容易に接続でき、組立が容易である。
【００４５】
また、本実施例に使用した半透明のシリコンゴム製チューブを、内壁および外壁が平滑表面であって、該表面に光触媒コーティングを施した半透明のシリコンゴム製チューブに替えると、チューブの内壁が汚れにくく、長期に渡ってチューブ内を通過する処理水を視認・確認可能である。
【００４６】
本実施例の膜ろ過装置では、ろ過水排出口２１ａ〜ｊおよびろ過器接続口３１ａ〜ｊを一直線上に配置してあり、かつ、ろ過水排出口２１ａ〜ｊのそれぞれの軸線の延長線上に対向するようにろ過器接続口３１ａ〜ｊが備えられていて、弾性チューブ６ａ〜ｊは短くかつストレート状に配置されるため、チューブのコーティング部分へかかる負荷が低減され、コーティングチューブでも長期に渡って使用が可能である。
【００４７】
この場合には、ろ過器２ａ〜ｊのいずれかに異常が発生し処理水の水質に異常が発生した場合、チューブ内を通過する処理水の色や様子を目視によって確認することにより、どのろ過器２に異常が発生したかを速やかに把握することができる。
【００４８】
（参考例１）
下記参考例１も、前記実施例１と同様に、本発明の好ましい実施の形態である。実施例１、参考例１とも従来の浸漬型膜ろ過装置に比べはるかに組立性に優れているものであるが、実施例１の方が参考例１よりも安価である一方、参考例１の方が実施例１よりもより組立性に優れているものであり、浸漬型膜ろ過装置に用いるろ過器の数量、集水管の重量、使用条件、コストなどの観点から実施例１のような形態、もしくは参考例１のような形態を選択することができるのである。以下、ワンタッチ継ぎ手を用いて、浸漬型膜ろ過装置を製造した場合の実施の態様について説明する。
【００４９】
本発明の浸漬型膜ろ過装置７は、図４に示すように、ろ過器２（２ａ〜ｊまで１０個）と集水管３と、曝気するための散気管４と、これらを支えるフレーム５とから構成されている。また、集水管３にはろ過器接続口９ａ〜ｊが備えられており、ろ過器２ａ〜ｊにはそれぞれろ過水排出口８ａ〜ｊが備えられている。
【００５０】
ろ過器接続口９ａ〜ｊとろ過水排出口８ａ〜ｊとは、チューブ１０ａ〜ｊによって接続されている。本参考例１においては、ろ過水排出口８ａ〜ｊおよびろ過器接続口９ａ〜ｊは一直線上に配置してあり、かつ、ろ過水排出口８ａ〜ｊのそれぞれの軸方向に対向するようにろ過器接続口９ａ〜ｊが備えられている。
【００５１】
ろ過水排出口８ａ〜ｊおよびろ過器接続口９ａ〜ｊとのそれぞれの距離は約７ｍｍであるが、０ｍｍでもよく、７ｍｍよりも距離が長くなっても、チューブ１０ａ〜ｊがつぶれない範囲であれば問題ない。ここでは、チューブ１０ａ〜ｊのつぶれの観点、組立精度の観点から両者の距離を７ｍｍとすれば良い。
【００５２】
ろ過水排出口８ａ〜ｊおよびろ過器接続口９ａ〜ｊには、例えば、市販のワンタッチ継ぎ手（チヨダエンジニアリング株式会社製、商品名メイルコネクタ、品番ＦＲ６−１Ｍ）を用いる。
【００５３】
また、本参考例１では、チューブ１０ａ〜ｊとしてＰＰ（ポリプロピレン）製を用いるとしたが、ろ過水排出口８ａ〜ｊおよびろ過器接続口９ａ〜ｊに用いるワンタッチ継ぎ手に好適に用いることのできるチューブ１０ａ〜ｊであれば、何を使用してもよい。
本参考例１においては、各ろ過水排出口８ａ〜ｊにチューブ１０ａ〜ｊを差込み、その後ろ過器接続口９ａ〜ｊを備えた集水管を手に持って、一度にすべてのチューブ１０ａ〜ｊとろ過器接続口９ａ〜ｊとを接続することができる。
【００５４】
また、集水管３の取り付け作業の観点から、集水管３はろ過器２の上方に設置する。
【００５５】
本参考例１においてはワンタッチ継ぎ手を使用しているので、チューブ１０ａ〜ｊの接続が容易であるとともに、ろ過水排出口８ａ〜ｊおよびろ過器接続口９ａ〜ｊは一直線上に配置してあり、かつ、ろ過水排出口８ａ〜ｊのそれぞれの軸方向に対向するようにろ過器接続口９ａ〜ｊが備えられているので、一度に複数のチューブ１０ａ〜ｊとの接続が可能であるので、組立性に非常に優れている。
【００５６】
以上説明したように、本発明の浸漬型膜ろ過装置は、ろ過水排出口とろ過器接続口とを容易に接続でき、組立が容易である。
【産業上の利用可能性】
【００５７】
本発明の浸漬型膜ろ過装置は、複数のろ過器と集水管とを備え、処理槽内に浸漬して設置される膜ろ過装置に適用できる。これ以外の浄化装置（例えば、逆浸透膜ろ過ユニットや中空糸膜ろ過ユニットや活性炭ろ過ユニットなど、と配管とを接続して処理水を集める装置構造をもつ浄化装置）などにも応用することができる。
【図面の簡単な説明】
【００５８】
【図１】本発明の好ましい実施の態様（実施例１が該当する。）を示す、浸漬型ろ過膜装置の概略正面図である。
【図２】図１の概略側面図である。
【図３】図１の拡大図である。
【図４】本発明の他の好ましい実施の態様（参考例１が該当する。）を示す、浸漬型ろ過膜装置の概略正面図である。
【図５】図４の概略側面図である。
【図６】図４の拡大図である。
【符号の説明】
【００５９】
１          浸漬型膜ろ過装置（実施例１）
２ａ〜ｊ    ろ過器
２１ａ〜ｊ  ろ過水排出口  
３          集水管
３１ａ〜ｊ  ろ過器接続口
４          散気管
５          フレーム
６ａ〜ｊ    弾性チューブ
７          浸漬型膜ろ過装置（参考例１）
８ａ〜ｊ    ろ過水排出口
９ａ〜ｊ    ろ過器接続口
１０ａ〜ｊ  チューブ
【図１】
2007083229.tif 000003
【図２】
2007083229.tif 000004
【図３】
2007083229.tif 000005
【図４】
2007083229.tif 000006
【図５】
2007083229.tif 000007
【図６】
2007083229.tif 000008